(57)【特許請求の範囲】
【請求項１】
第１解像度を有する第１表示パネルと、
第１解像度に比して高い第２解像度を有する第２表示パネルと、
第２表示パネルの一部に表示された画像の画像データを出力し、第１表示パネルに拡大画像を表示させる画像出力部と、
を備え、
第１表示パネルと第２表示パネルは重なって配置され、
第１表示パネルと第２表示パネルの画面サイズはほぼ同一であることを特徴とする表示装置。
【請求項２】
画像データを記憶する記憶部を更に備え、
第１表示パネル及び第２表示パネルに表示される画像は、前記記憶部に記憶された同一の画像データに基づいて表示され、
前記記憶部に記憶された画像データに対してスケール画像処理を行うことなく、第１表示パネルに拡大画像が表示されることを特徴とする請求項１に記載の表示装置。
【請求項３】
前記第２表示パネルの画面の一部に表示された画像は、第１表示パネルに表示される画像サイズの画像であることを特徴とする請求項１に記載の表示装置。
【請求項４】
第１解像度を有する第１表示パネルと、
第１解像度に比して高い第２解像度を有する第２表示パネルと、
第２表示パネルの一部に表示された画像の画像データを出力し、第１表示パネルに拡大画像を表示させる画像出力部と、
を備え、
前記拡大画像が第１表示パネルの画面の一部に表示されると共に、第２表示パネルの画面領域のうち前記拡大画像が第１表示パネルに表示される領域に対応する領域以外の画面領域に画像が表示されることを特徴とする表示装置。
【請求項５】
第１解像度を有する第１表示パネルと、
第１解像度に比して高い解像度を有する第２表示パネルと、
第１表示パネルに表示された画像の画像データを出力し、第２表示パネルに縮小画像を表示させる画像出力部と、
を備え、
第１表示パネルと第２表示パネルは重なって配置され、
第１表示パネルと第２表示パネルの画面サイズはほぼ同一であることを特徴とする表示装置。
【発明の詳細な説明】
【技術分野】
【０００１】
本発明は、表示装置に関する。
【背景技術】
【０００２】
従来、液晶パネルを前後に２枚重ねる構造を有した表示装置であるマルチレイヤーディスプレイが提案されている（例えば特許文献１参照）。このようなマルチレイヤーディスプレイによれば、前後の液晶パネルに同時に画像を表示させて三次元的な視覚効果を狙ったり、前後の液晶パネルのいずれか一方にのみ画像を表示させたりすることができる。
【０００３】
ここで、後面液晶パネルに表示された画像を前面液晶パネルへ拡大・縮小する場合と前面液晶パネルに表示された画像を後面液晶パネルへ拡大・縮小する場合の従来例について図５を用いて説明する。図５に示す従来のマルチレイヤーディスプレイは、ＶＤＰ（Video Display Processor）１０１と、スケーラ１０２と、駆動回路１０３と、前面液晶パネル１０４と、ＶＤＰ１０５と、スケーラ１０６と、駆動回路１０７と、後面液晶パネル１０８を備える。このとき、スケーラは、ＶＤＰに内蔵されている構成も考えられる。前面液晶パネル１０４と後面液晶パネル１０８は、いずれも画面サイズは同じ画面サイズであり、いずれも解像度は同じ解像度である。図５の例においては、画面サイズは１２インチ、画面解像度はＸＧＡ（１０２４×７６８）として説明する。
【０００４】
後面液晶パネル１０８の画像を前面液晶パネル１０４へ拡大・縮小する場合においては、ＶＤＰ１０５から出力された画像がスケーラ１０６、駆動回路１０７を通り後面液晶パネル１０８へ表示される。このとき、スケーラ１０６は、スケーリングを行わない。そして、ＶＤＰ１０１から出力された画像はスケーラ１０２によってスケーリングされ、拡大・縮小された画像が駆動回路１０３を通して前面液晶パネル１０４へ表示される。
【０００５】
前面液晶パネル１０４の画像を前面液晶パネル１０８へ拡大・縮小する場合においては、ＶＤＰ１０１から出力された画像がスケーラ１０２、駆動回路１０３を通り前面液晶パネル１０４へ表示される。このとき、スケーラ１０２は、スケーリングを行わない。そして、ＶＤＰ１０５から出力された画像はスケーラ１０６によってスケーリングされ、拡大・縮小された画像が駆動回路１０７を通して後面液晶パネル１０８へ表示される。
【０００６】
後面液晶パネル１０８の画像領域Ａ１００を前面液晶パネル１０４で拡大表示させる場合、後面液晶パネル１０８の画像をＶＤＰ１０１より出力し、スケーラ１０２において拡大処理を行い、駆動回路１０３を通して前面液晶パネル１０４へ表示する。
【先行技術文献】
【特許文献】
【０００７】
【特許文献１】特開２００７−１３９８６５号公報
【発明の概要】
【発明が解決しようとする課題】
【０００８】
しかし、上記従来のマルチレイヤーディスプレイでは、拡大表示を行うためにスケーラによる画像処理が必要であり、表示速度が遅くなるといった問題がある。
【０００９】
また、スケーラは、外付け（単体）タイプと、ＶＤＰに内蔵されるタイプの２つがある。前者の場合、回路実装面積やコストアップの問題があり、後者の場合、ＶＤＰの回路規模面積やコストアップの問題がある。
【００１０】
また、スケーラで拡大・縮小すると、画像ボケや画像潰れが生じることがあるので、これを防止するため、通常画像と、拡大または縮小画像の両方を予めＲＯＭに格納させることも考えられるが、ＲＯＭのコストアップにつながる。
【００１１】
上記問題点に鑑み、本発明は、拡大表示または縮小表示のためにスケーラによる画像処理を必要とせず、高速かつ高品位な拡大表示または縮小表示を可能とする表示装置を提供することを目的とする。
【課題を解決するための手段】
【００１２】
本発明の或る態様に係る表示装置は、
第１解像度を有する第１表示パネルと、
第１解像度に比して高い解像度を有する第２表示パネルと、
第２表示パネルの一部に表示された画像の画像データを出力し、第１表示パネルに拡大画像を表示させる画像出力部と、
を備えることを特徴とする。
【００１３】
また、本発明の他の態様に係る表示装置は、
第１解像度を有する第１表示パネルと、
第１解像度に比して高い解像度を有する第２表示パネルと、
第１表示パネルに表示された画像の画像データを出力し、第２表示パネルに縮小画像を表示させる画像出力部と、
を備えることを特徴とする。
【発明の効果】
【００１４】
本発明によれば、拡大表示または縮小表示のためにスケーラによる画像処理を必要とせず、高速かつ高品位な拡大表示または縮小表示を可能とする。
【図面の簡単な説明】
【００１５】
【図１】本発明の一実施形態に係る液晶表示装置のブロック構成図である。
【図２】本発明の一実施形態に係る液晶表示装置の概略分解斜視図である。
【図３】本発明の一実施形態に係る拡大表示処理を説明するための図である。
【図４Ａ】本発明の別実施形態に係る拡大表示処理を説明するための図である。
【図４Ｂ】本発明の別実施形態に係る拡大表示処理を説明するための図である。
【図５】従来の拡大表示処理を説明するための図である。
【発明を実施するための形態】
【００１６】
以下、本発明の一実施形態について図面を参照して説明する。
【００１７】
本発明の一実施形態に係る液晶表示装置２０の概略分解斜視図を図１に示す（なお、図１におけるＸ方向は左右方向、Ｙ方向は上下方向、Ｚ方向は前後方向を示す）。図１に示すように、液晶表示装置２０の後方から前方へ向かってバックライトユニット１２、後面液晶パネル１０、拡散板１３、前面液晶パネル７及びタッチパネル４がこの順番に配置され、液晶表示装置２０はマルチレイヤーディスプレイとして構成される。バックライトユニット１２より出力された白色光が後面液晶パネル１０、拡散板１３、前面液晶パネル７及びタッチパネル４の順に透過し、画像が表示される。
【００１８】
なお、後面液晶パネル１０の偏光板によって偏光された光が直接、前面液晶パネル７へ入射すると、光の干渉によってモアレが発生する場合がある。そこで、後面液晶パネル１０と前面液晶パネル７の間に拡散板１３を設けることで、後面液晶パネル１０によって偏光された光を拡散板１３により無偏光の光へ戻してから前面液晶パネル７へ入射させ、モアレの発生を抑えている。
【００１９】
前面液晶パネル７及び後面液晶パネル１０に同時に画像を表示させることで奥行き感のある三次元的な視覚効果を得ることが可能である。また、前面液晶パネル７及び後面液晶パネル１０のいずれか一方に画像を表示させ、他方を画像非表示とすることも可能である。
【００２０】
本発明の一実施形態に係る液晶表示装置２０のブロック構成を図２に示す。図２に示すように、液晶表示装置２０は、ＣＰＵ（Central Processing Unit）１と、ＲＯＭ（Read Only Memory）２と、コントローラ３と、タッチパネル４と、ＶＤＰ（Video Display Processor）５と、駆動回路６と、前面液晶パネル７と、ＶＤＰ８と、駆動回路９と、後面液晶パネル１０と、制御回路１１と、バックライトユニット１２を備える。なお、ＶＤＰ５とＶＤＰ８の２系統ではなく、ＶＤＰ１系統から駆動回路６、９へ接続される構成も考えられる。
【００２１】
液晶表示装置２０は、例えば車載用ナビゲーション装置、モバイル端末、デジタルサイネージ及びアミューズメント機器（パチスロ機等）に搭載可能である。なお、デジタルサイネージとは、屋外や公共施設に配置されて広告コンテンツやメッセージ等を表示するものである。
【００２２】
ＣＰＵ１は、液晶表示装置２０の各部を制御する演算装置である。ＲＯＭ２は、ＣＰＵ１の制御プログラムや画像データ（例えば地図画像データ）などを記憶する読み出し専用の記憶装置である。
【００２３】
タッチパネル４は、ユーザによるタッチを検知する透光性のセンサであり、例えば静電容量方式タッチパネルを採用できる。タッチパネル４に接続されたコントローラ３は、タッチパネル４におけるタッチされた位置を検出する。
【００２４】
ＶＤＰ５及びＶＤＰ８は、画像データ出力用のプロセッサである。駆動回路６及び駆動回路９は、それぞれＶＤＰ５及びＶＤＰ８から画像データを入力され、入力された画像データに基づいて前面液晶パネル７及び後面液晶パネル１０の各画素に対応する液晶を駆動する。
【００２５】
バックライトユニット１２は、前面液晶パネル７及び後面液晶パネル１０に白色光を照射する照明装置であり、例えばＬＥＤ（Light Emitting Diode）や冷陰極管が用いられる。省電力化の観点からはＬＥＤを用いることが望ましい。
【００２６】
次に、液晶表示装置２０における拡大表示処理の一例について図３を参照して説明する。
【００２７】
図３に示す例では、前面液晶パネル７と後面液晶パネル１０で画面サイズを１２インチとして同じ画面サイズとしている。しかし、解像度については、前面液晶パネル７をＶＧＡ（６４０×４８０）とし、後面液晶パネル１０をＸＧＡ（１０２４×７６８）とし、前後の液晶パネルで解像度を異ならせている。
【００２８】
ＶＤＰ８がＲＯＭ２より画像データを読み出して駆動回路９に出力し、駆動回路９により後面液晶パネル１０の全画面に地図画像が表示されているとする（このとき、前面液晶パネル７は全白表示）。
【００２９】
ここで、タッチパネル４がタッチされると、コントローラ３によりタッチされた位置が検出される。すると、ＶＤＰ５は、検出されたタッチ位置を中心とするＶＧＡ（６４０×４８０）の解像度を有する領域Ａ１０の画像データをＣＰＵ１の制御によりＲＯＭ２から読み出して駆動回路６に出力する。
【００３０】
駆動回路６は、入力された画像データに基づいて前面液晶パネル７を駆動する。これにより、前面液晶パネル７に領域Ａ１０の拡大地図画像が表示される（このとき、後面液晶パネル１０は全白表示）。即ち、ＲＯＭ２に記憶された画像データに対してスケール画像処理を行うことなく、前面液晶パネル７に拡大画像が表示される。
【００３１】
このように、従来（図５）は必要であったスケーラによる画像処理を行わずに拡大表示を行うことができるので、高速かつ高品位な拡大表示が可能となる。また、スケーラを設けることが不要となるので、部品実装面積及びコストの低減につながり、特にモバイル端末や車載用機器に適用する場合に有効なものとなる。
【００３２】
次に、液晶表示装置２０における拡大表示処理の別の一例について図４Ａ及び図４Ｂを参照して説明する。
【００３３】
図４Ａ及び図４Ｂに示す例でも、図３と同様、前面液晶パネル７と後面液晶パネル１０で画面サイズを１２インチとして同じ画面サイズとし、解像度については、前面液晶パネル７をＶＧＡ（６４０×４８０）とし、後面液晶パネル１０をＸＧＡ（１０２４×７６８）とし、前後の液晶パネルで解像度を異ならせている。
【００３４】
ＶＤＰ８がＲＯＭ２より画像データを読み出して駆動回路９に出力し、駆動回路９により後面液晶パネル１０の全画面に地図画像が表示されているとする（このとき、前面液晶パネル７は全白表示）（図４Ａ）。
【００３５】
ここで、タッチパネル４がタッチされると、コントローラ３によりタッチされた位置が検出される。すると、ＶＤＰ５は、検出されたタッチ位置を中心とする３２０×２４０の解像度を有する領域Ａ２０（図４Ａ）の画像データをＣＰＵ１の制御によりＲＯＭ２から読み出す。ＶＤＰ５は、読み出した画像データを画面左上半分として画面の残りを全白表示としたＶＧＡ（６４０×４８０）の画像データを作成して駆動回路６に出力する。そして、駆動回路６により前面液晶パネル７が駆動され、前面液晶パネル７の画面左上半分に領域Ａ２０の拡大地図画像が表示される（図４Ｂ）。
【００３６】
このとき、ＶＤＰ８は、後面液晶パネル１０の全画面に表示された地図画像（図４Ａ）のうち画面左上半分を全白表示とした画像データを駆動回路９に出力する。そして、駆動回路９による駆動により、後面液晶パネル１０の画面左上半分を除いた部分に地図画像が表示される（図４Ｂ）。
【００３７】
前面液晶パネル７の画像と後面液晶パネル１０の画像が合成されることにより、画面左上半分に拡大地図画像が表示され、それ以外の部分に元の地図画像が表示される。
【００３８】
なお、拡大画像を表示する箇所は画面左上半分に限ることはなく、例えば画面中央の所定領域としてもよい。
【００３９】
以上、拡大表示処理について説明したが、以下のような縮小表示処理も可能である。
【００４０】
例えば、図３に示すように、ＶＤＰ５の画像データ出力により前面液晶パネル７（解像度ＶＧＡ）の全画面に地図画像が表示されているとする（このとき、後面液晶パネル１０は全白表示）。ここで、タッチパネル４をタッチすると、ＶＤＰ８が前面液晶パネル７に表示された画像の画像データ（解像度ＶＧＡ）を駆動回路９に出力する。そして、駆動回路９による駆動により、後面液晶パネル１０（解像度ＸＧＡ）の画面一部領域（例えば図３の領域Ａ１０）に前面液晶パネル７に表示されていた画像の縮小画像（解像度ＶＧＡ）が表示される（このとき、前面液晶パネル７は全白表示）。
【００４１】
これにより、スケーラによる画像処理を行わずに縮小表示できるので、高速かつ高品位な縮小表示が可能となる。
【００４２】
以上、本発明の一実施形態について説明したが、本発明の趣旨の範囲内であれば、実施形態は種々変形が可能である。例えば上述した実施例では、後面液晶パネル（ＸＧＡ）のほうが前面液晶パネル（ＶＧＡ）よりも解像度を高くしたが、逆としてもよい。
【００４３】
また、上記例では、タッチパネルで指定された位置を中心とした拡大・縮小の例を示したが、他の例でもよい。例えば、パソコンのマウスで指定する場合もある。あるいは、アミューズメント（パチスロ等）用途などでは、あらかじめ決められた位置の画像を拡大・縮小する仕様でもよい（即ち、タッチパネルやマウス等は使用しない仕様）。
【符号の説明】
【００４４】
１  ＣＰＵ
２  ＲＯＭ
３  コントローラ
４  タッチパネル
５  ＶＤＰ
６  駆動回路
７  前面液晶パネル
８  ＶＤＰ
９  駆動回路
１０  後面液晶パネル
１１  制御回路
１２  バックライトユニット
２０  液晶表示装置
【図１】
0005427218.tif 000002
【図２】
0005427218.tif 000003
【図３】
0005427218.tif 000004
【図４Ａ】
0005427218.tif 000005
【図４Ｂ】
0005427218.tif 000006
【図５】
0005427218.tif 000007